(57)【要約】【課題】健常者であっても、また、体に障がいを持つ人であっても靴の脱ぎ履きが確実且つスムーズに行える靴べらを提供する。【解決手段】へら部２と、このへら部の背面に設けられ靴の踵部分を挟むクリップ部３とから構成される靴べらであって、上記へら部２の上部２ｂが上記靴から突出してその後方に湾曲して形成されるとともに、上記靴の踵部分を上記クリップ部３で挟んだ状態においてそのクリップ部３の下端が上記へら部２の下端よりも長く形成されていることを特徴とする。【選択図】図２
2011194049.tif 000002
【特許請求の範囲】
【請求項１】
へら部と、このへら部の背面に設けられ靴の踵部分を挟むクリップ部とから構成される靴べらであって、
上記へら部の上部が上記靴から突出してその後方に湾曲して形成されるとともに、上記靴の踵部分を上記クリップ部で挟んだ状態においてそのクリップ部の下端が上記へら部の下端よりも長く形成されていることを特徴とする靴べら。
【請求項２】
上記クリップ部は、上記へら部の幅と略同幅からなり上記靴の踵部分の上縁に掛止される肩部と、その肩部の幅よりも狭い幅からなり上記肩部から垂下される押え板部とを有する請求項１に記載の靴べら。
【請求項３】
上記クリップ部は上記へら部の高さ方向略中央から延設されている請求項１または２に記載の靴べら。
【請求項４】
上記へら部の幅方向断面が、上記クリップ部側に向けて凸となる円弧に形成されている請求項１〜３のいずれか１項に記載の靴べら。
【発明の詳細な説明】
【技術分野】
【０００１】
本発明は靴の脱ぎ履きがスムーズに行える靴べらに関し、特に、下肢の機能が低下した老人や身体に障がいを持つ人に好適な靴べらに関するものである。
【背景技術】
【０００２】
従来、靴を履く動作を補助する道具として、玄関に置いて使用される長尺の靴べらや携帯可能な短尺の靴べらが利用されている。この種の靴べらは、靴に挿入する部分の形状がへら状に形成され、靴から突出する部分は棒状の握りまたはフックに形成されているものが多い。
【０００３】
長尺の靴べらを用いて靴を履く場合、靴の踵部分から略上向きに起立している靴べらに対して踵を当てることになり、下肢を大きく屈曲させた不自然な体勢が強いられる。
【０００４】
健常者であれば、片足で体を支えながら上記動作を行うことにより靴を履くことができるが、半身に麻痺等の障がいを持つ人にとってはそのような動作を行うことは不可能である。
【０００５】
そこで、杖の先端側を二股にし、一方を靴べら形状にし、他方は杖にした靴べらも提案されている（例えば、特許文献１参照）。
【０００６】
ところが、半身に麻痺が残るような人は車いすなどに腰掛けた状態で靴を履く動作を行うため、上記の杖タイプの靴べらを使用することができず、しかも携帯に不便である。
【０００７】
また、携帯式の靴べらとしてはキャッシュカードサイズの靴べらが知られている（例えば、特許文献２参照）。
【０００８】
図７は上記携帯式の靴べらの構成を示したものであり、靴べら５０が使用時に靴５１内に滑り落ちないよう、靴の踵部分５１ａに引っかけることのできるショルダー５０ａが左右に設けられている。なお、図中、５０ｂはへら部分を、５０ｃは踵を靴内に案内するためのガイド部分をそれぞれ示している。
【先行技術文献】
【特許文献】
【０００９】
【特許文献１】特開２００１−２８６３８３号公報
【特許文献２】特表２００２−５０３９８５号公報
【発明の概要】
【発明が解決しようとする課題】
【００１０】
しかしながら、上記した携帯式の靴べら５０では、ガイド部分５０ｃに踵を載せると、簡単に矢印Ａ方向に倒れてしまうため、そのガイド部分５０ｃを手で支えておく必要がある。そのため、靴の脱ぎ履きがスムーズに行えず、加えて健常者でなければ使用することが難しい。
【００１１】
本発明は以上のような従来の靴べらにおける課題を考慮してなされたものであり、健常者であっても、また、体に障がいを持つ人であっても靴の脱ぎ履きが確実且つスムーズに行える靴べらを提供するものである。
【課題を解決するための手段】
【００１２】
本発明は、へら部と、このへら部の背面に設けられ靴の踵部分を挟むクリップ部とから構成される靴べらであって、
上記へら部の上部が上記靴から突出してその後方に湾曲して形成されるとともに、上記靴の踵部分を上記クリップ部で挟んだ状態においてそのクリップ部の下端が上記へら部の下端よりも長く形成されている靴べらである。
【００１３】
本発明において、上記クリップ部は、上記へら部の幅と略同幅からなり上記靴の踵部分の上縁に掛止される肩部と、その肩部の幅よりも狭い幅からなり上記肩部から垂下される押え板部とを有することが好ましい。
【００１４】
本発明において、上記クリップ部は上記へら部の高さ方向略中央から延設することが好ましい。
【００１５】
本発明において、上記へら部の幅方向断面は、上記クリップ部側に向けて凸となる円弧に形成されていることが好ましい。
【発明の効果】
【００１６】
本発明の靴べらによれば、健常者であっても、また、体に障がいを持つ人であっても靴の脱ぎ履きが確実且つスムーズに行えるという長所を有する。
【図面の簡単な説明】
【００１７】
【図１】本発明に係る靴べらの構成を示す斜視図である。
【図２】(ａ)は図１に示した靴べらの背面図、(ｂ)は正面図、(ｃ)は右側面図である。
【図３】(ａ)は図１に示した靴べらの平面図、(ｂ)は底面図である。
【図４】(ａ)は本発明の靴べらを靴に装着した状態を示す正面図、(ｂ)はその左側面図である。
【図５】本発明の靴べらの使用例を示す斜視図である。
【図６】本発明の靴べらの別の使用例を示す斜視図である。
【図７】従来の携帯式靴べらの構成を示す斜視図である。
【発明を実施するための形態】
【００１８】
以下、図面に示した実施の形態に基づいて本発明を詳細に説明する。
【００１９】
１．靴べらの全体構成
図１において、本発明の靴べら１は、円弧状に湾曲し弾性を有するへら部２と、このへら部２の背面から分岐して設けられたクリップ部３とから主として構成されており、へら部２とクリップ部３は例えば、ポリプロピレン樹脂、ナイロン樹脂、ポリエチレン樹脂、ポリカーボネート樹脂等によって一体成形されている。
【００２０】
なお、以下の説明において、へら部２において、靴に挿入する部分を下部２ａ、靴から突出しており踵を載せる部分を上部２ｂ、踵を滑らせる面を前面、その反対側の面を背面と呼ぶ。
【００２１】
クリップ部３の下端は自由端になっており、靴の踵部分に装着する際には矢印Ｂ方向に若干弾性変形し、その復元力によって靴べら１を、図示しない靴の踵部分に確実に固定することができるようになっている。
【００２２】
２．靴べらの各部構成
次に、靴べら１の各部の構成について図２および図３を参照しながら説明する。
【００２３】
２．１  へら部の構成
図２において、厚さ２ｍｍの舌片状に形成されたへら部２の上部２ｂは、靴に対し踵を出し入れする際の障がいとならないように、後方に向けて大きく円弧状（図２(ｃ)参照）に反り返っており、さらにへら部２の中央部２ｃから下部２ａに向けても円弧状に形成されている。なお、円弧状に形成されている上部２ｂのアールは、２０〜１１０ｍｍの範囲で設定することができ、好ましくは３０〜１００ｍｍ、より好ましくは３０〜９０ｍｍである。なお、本実施形態における上部２ｂのアールは４５ｍｍに設定されている。
【００２４】
上部２ｂに踵を載せると、矢印Ｃ１→Ｃ２→Ｃ３の順で円弧を描きながら、へら部２の前面に沿って踵を移動させることができるようになっている。
【００２５】
一方、へら部２の前面には幅方向中心に谷折線２ｄ（図２(ｂ)参照）が形成されており、上記のように踵を移動させるにあたって上部２ｂ上に置かれた踵をへら部２の幅方向中心Ｄ（図３(ａ)および(ｂ)参照）に案内するようになっている。
【００２６】
上部２ｂの幅方向中央には紐通し孔２ｅが設けられており、紐を通すことができるようになっている。上記紐通し孔２ｅに通す紐は特に限定されないが、靴べら１から外向きに直線状に伸びるような保形性を備えた紐、例えば、ポリポロピレン製の紐を使用すると、靴べら１を靴から取り外す際に紐を探す手間が省けるため好ましい。
【００２７】
谷折線２ｄはへら部２の下部２ａまで延びており、それにより、靴に足を入れる動作が完了するまで、踵をへら部２の幅方向中心Ｄに案内することができるようになっているとともに、下部２ａの背面２ｆを靴の踵部分の内面に隙間なく沿わせるようにもなっている。
【００２８】
２．２  クリップ部の構成
クリップ部３は厚さ２ｍｍに形成された帯板からなり、へら部２の中央部２ｃの背面から下方に向けて鉤状に形成されており、肩部３ａ，３ｂと押え板部３ｃとを備えている。
【００２９】
肩部３ａ，３ｂはへら部２の幅（本実施形態では５２ｍｍ）と略同じ幅からなり、靴の踵部分の上縁に掛止されるようになっている。
【００３０】
肩部３ａ，３ｂから垂下される押え板部３ｃはその幅Ｗが約１６ｍｍまで狭められ、押え板部先端３ｄはその幅が若干広げられている。
【００３１】
へら部２の背面２ｆと押え板部３ｃとの間には、靴の踵部分を挟み込むための隙間Ｅが設けられており、押え板部３ｃの下方（図２(ｃ)のＦ参照）でその隙間Ｅが最小となるように、押え板部３ｃはへら部２側に向けて凸となるように湾曲している。
【００３２】
また、押え板部３ｃにおけるへら部２側の面、すなわち押圧側の面には凸条３ｅが上下方向に形成されている。それにより、押え板部３ｃの下方（Ｆ部）で凸条３ｅが押圧部３ｆとして機能し、靴の踵部分外側を点接触によって押圧するようになっている。
【００３３】
上記した肩部３ａ，３ｂと上記した押え板部３ｃの押圧部３ｆとにより、クリップ部３は、ａ、ｂ、ｃの３点（図２(ａ)参照）で靴の踵部分を安定して押圧することができるようになっている。
【００３４】
また、靴べら１を靴の踵部分に装着した状態において、押え板部３ｃの長さはへら部２の下端よりも長さＬ分、本実施形態では２ｍｍ〜３０ｍｍ、長く形成されている。その理由は以下の通りである。
【００３５】
へら部２の上部２ｂに踵を置くと、靴べら１の上部２ｂには矢印Ｇ方向側に撓もうとする曲げが発生するため、押え板部３ｃの長さがへら部２の下端と同じかまたはそれより短い場合、靴べらは、いとも簡単に靴から外れてしまう。
【００３６】
これに対し、本発明の靴べら１では、押え板部３ｃの長さがへら部２の下端よりも長く形成されているため、矢印Ｇ方向側に撓もうとする力に抗する反力が矢印Ｈ方向に発生し、この反力がクリップ部３の押圧力に加算される。
【００３７】
その結果、靴の踵部分を押圧する力が高められ、靴べら１が靴から外れることを確実に防止することができる。
【００３８】
なお、上記押え板部３ｃの長さの上限（３０ｍｍ）は、靴べら１を靴に装着した状態で押え板部３ｃがフロアーまたは地面に接触しない長さから決定されている。
【００３９】
３．靴べらの装着状態
図４は上記構成を有する靴べら１を靴に装着した状態を示したものであり、同図(ａ)は正面図、同図(ｂ)は側面図である。
【００４０】
両図において、靴１０の踵部分１０ａに、靴べら１におけるへら部２とクリップ部３の隙間を合わせ、へら部２を靴の踵部分内面に沿わせて靴１０内に挿入すると、クリップ部３の肩部３ａ，３ｂが踵部分１０ａの上縁１０ｂに掛止されるようになっている。
【００４１】
この状態で、クリップ部３における凸条３ｅの押圧部３ｆが靴の踵部分を矢印Ｊ方向に押圧するため、靴べら１が靴１０の踵部分１０ａに固定される。
【００４２】
上記靴べら１を一対備え、左右の靴に装着しておけば、靴べら１に手を添えることなく立ち姿勢のままで左右の靴を順次、履くことができる。
【００４３】
４．靴べらの使用方法
４．１  健常者による使用
図５は健常者が本発明の靴べらを用いて靴を履こうとしている様子を示した説明図である。
【００４４】
なお、同図に示す靴べら１では、紐通し孔２ｅに紐１１が通されている。
【００４５】
靴べら１の上部２ｂは後方に向けて大きく湾曲されているため、使用者は下肢を大きく屈曲させることなく、つま先を靴１０のトウ部１０ｃに入れ、踵２０を上部２ｂ上に載せることができる。
【００４６】
この状態で踵２０を降ろしていくと、上部２ｂは３０°を限度に後方に傾き、踵２０はへら部２の円弧状前面に沿って円弧を描きながら下がっていき、このとき、湾曲した上部２ｂは復元力によって元の姿勢に戻ろうとするため、踵を靴１０のトウ部１０ｃ側に向けて押し出す力が働く。
【００４７】
それにより、大きな力を必要とせず靴１０内に簡単に足を滑り込ませることができる。
【００４８】
なお、このとき、クリップ部３の押圧部３ｆには矢印Ｊ方向の押圧力が働いているため（図４(ｂ)参照）、靴べら１を手で支えておく必要がない。
【００４９】
また、靴１０を履いた後は、上部２ｂを手指で掴むかまたは紐１１を手指で引っ張ることにより、靴べら１を靴１０から簡単に取り外すことができる。
【００５０】
４．２  障がい者による使用
図６は障がい者が本発明の靴べらを用いて靴を履こうとしている様子を示した説明図である。
【００５１】
例えば、左半身に麻痺がある足に靴を履かせる場合、使用者は通常、車いすに座った状態で靴を履く動作を行う。
【００５２】
靴べら１を靴１０の踵部分１０ａに予め装着しておく。
【００５３】
麻痺のある左脚を手で支えて右脚に載せる。
【００５４】
次いで、手で支えている左脚の足に靴べら１付きの靴１０を横方向から近づける。
【００５５】
靴べら１の上部２ｂに踵を当てがい、靴１０の底面に手を当てて軽く押すと、へら部２の円弧状前面に沿って踵を靴１０内に滑り込ませることができる。
【００５６】
このとき、靴べら１を手で支えておく必要がないため、左手は左脚を支えたままで簡単に靴１０を履くことができる。
【００５７】
このように、本発明の靴べらは、健常者にとっても、また、下肢の機能が衰えた老人にとっても、さらには障がい者にとっても、一様に靴の脱ぎ履きがスムーズに行えるように構成されている。
【００５８】
また、靴べら１は極めてコンパクトに構成されているため、取り外した後、服のポケットやカバンに入れて携帯することができ、また、図２(ｃ)に示したようにへら部２とクリップ部３が脚となって自立するため、置物として玄関等に置くこともできる。
【００５９】
また、靴べら１のクリップ部３で靴の踵部分を挟めば、靴べら１と靴を一体化させることができるため、上部２ｅに手に掛けて手前に引くなどすれば、靴を足元に近づけるための道具として使用することもできる。
【００６０】
なお、上記実施形態ではへら部２とクリップ部３を合成樹脂によって一体成形したが、靴べらを構成する材質としては、上記合成樹脂に限らず、薄板金属材を用いてへら部２とクリップ部３を形成し、両者を接合することによって靴べら１を構成することもできる。
【００６１】
また、へら部２を薄板金属材、クリップ部３を合成樹脂で、またはその逆で形成し、両者をインモールド成形または接着剤で接合することによっても構成することができる。
【００６２】
また、へら部２を樹脂成形する際に、成形品表面に加飾フィルムを同時に接着、または加飾フィルムの絵柄層を転写する、いわゆる成形同時加飾を行えば、へら部２に装飾を施すことができ、本発明の靴べらは自立式であることから、玄関の装飾品として使用することもできる。
【符号の説明】
【００６３】
１    靴べら
２    へら部
２ａ  下部
２ｂ  上部
２ｃ  中央部
２ｄ  谷折線
２ｅ  紐通し孔
２ｆ  背面
３    クリップ部
３ａ，３ｂ  肩部
３ｃ  押え板部
３ｄ  押え板部先端
３ｅ  凸条
３ｆ  押圧部
１０  靴
１０ａ  踵部分
１０ｂ  上縁
１０ｃ  トウ部
１１  紐
２０  踵
【図１】
2011194049.tif 000003
【図２】
2011194049.tif 000004
【図３】
2011194049.tif 000005
【図４】
2011194049.tif 000006
【図５】
2011194049.tif 000007
【図６】
2011194049.tif 000008
【図７】
2011194049.tif 000009